(57)【要約】      （修正有）【課題】ノート型パソコンの底座高度を調整し、任意の角度の旋転が可能な以外に、ファンを任意に位置調整して散熱効果を達成するノート型パソコンの支承フレームを提供する。【解決手段】底座１０の底端部位に回転盤を結合すると共に、底座頂面一辺に少なくとも一つの推抵素子１５を設置し、且つ、適当な距離のもう一辺に少なくとも一つの定位素子を設置し、定位素子上端は支持板を係設し、支持板両側にそれぞれ連接棒を有すると共に、支持板面に網孔３５を設置する。支持板底面は少なくとも一つのファン槽孔を設置して、ファンを固定し、支持板の定位軸３１を調整することにより、定位素子の凹槽内で抵止し、ノート型パソコンの底座を任意の傾斜角度にし、推抵素子が可動方式により開き、尺寸が小さいノート型パソコンを係止するか、或いは、底座に圧合して隠蔵され、尺寸が大きいノート型パソコンを放置し、ファンは任意に位置を調整して散熱効果を達成する。【選択図】図２
0003135000.tif 000002
【実用新案登録請求の範囲】
【請求項１】
ノート型パソコンの支承フレームであって、底座と支持板と少なくとも一つのファンとからなり、
前記底座は、底端の適当な位置に凸柱を設置し、前記凸柱は螺紋孔を有し、その底端部位に回転盤を結合し、前記底座頂面一辺に推抵素子を設置し、且つ、適当な距離のもう一辺に定位素子を設置し、前記支持板の定位軸で係固し、
前記支持板は、両側に定位軸を延設し、前記支持板両側は連接棒を延伸して、懸固軸を結合し、前記懸固軸のもう一端は係槽を有し、前記係槽は前記底座の支承軸に設置された棒に係固されると共に、前記支持板面は網孔を設置し、前記支持板底面は少なくとも一つのファン槽孔を設置し、
前記ファンはファン槽孔に設置されることを特徴とするノート型パソコンの支承フレーム。
【請求項２】
前記回転盤はパッドシートにより代替してもよいことを特徴とする請求項１に記載のノート型パソコンの支承フレーム。
【請求項３】
前記回転盤は更に盤形アセンブリを有し、前記盤形アセンブリ内の各結合箇所にボールを有し、前記盤形アセンブリと前記回転盤は前記底座の凸柱上に結合され、更に、ねじを前記凸柱の螺紋孔に鎖入して前記回転盤を固定することを特徴とする請求項１に記載のノート型パソコンの支承フレーム。
【考案の詳細な説明】
【技術分野】
【０００１】
本考案はノート型パソコンの支承フレームに関するものであって、特に、ノート型パソコンの底座高度を調整し、任意の角度の旋転が可能な以外に、ファンを位置調整して散熱効果を達成するノート型パソコンの支承フレームに関するものである。
【背景技術】
【０００２】
科学技術の発展に伴い、ノート型パソコンの尺寸も多様性があり、消費者が選択できる。ノート型パソコンは、体積が小さく、携帯に便利で、空間を占有しない長所がある。しかし、ノート型パソコンはコンピュータ底部と机が完全に接触し、コンピュータ内部で生成される熱が散熱されず、コンピューターが過熱になり、焼壊する。また、ノート型パソコンのディスプレイの展開設置角度は固定角度で、左右の移動に不便で、展示用の場所で、随時、任意に旋転させて角度を設定できないので、実用性に乏しい。
【考案の開示】
【考案が解決しようとする課題】
【０００３】
本考案の目的は、ノート型パソコンの底座高度を調整し、任意の角度の旋転が可能な以外に、ファンを任意に位置調整して散熱効果を達成するノート型パソコンの支承フレームを提供することにある。
【課題を解決するための手段】
【０００４】
本考案のノート型パソコンの支承フレームは、支持板の定位軸を調整することにより、定位素子の凹槽内で抵止し、ノート型パソコンを任意の傾斜角度で支承し、回転盤の旋転により、本体上に置放されたノート型パソコンが任意の角度の旋転方向に達し、及び、位置調整可能なファンによりノート型パソコン底部の散熱効果を強化する。
【考案の効果】
【０００５】
本考案のノート型パソコンの支承フレームにより、底座高度を調整し、任意の角度の旋転が可能な以外に、ファンを任意に位置調整して散熱効果を達成する。
【考案を実施するための最良の形態】
【０００６】
図１と図２で示されるように、本考案のノート型パソコンの支承フレーム１は、主に、底座１０、回転盤２０、支持板３０、及び、少なくとも一つのファン４０、からなる。底座１０の底端の適当な位置に凸柱１１を設置し、凸柱１１は螺紋孔を有する。また、底座１０は回転盤２０を結合し、回転盤２０は更に盤形アセンブリ２１を有し、盤形アセンブリ２１内の各結合箇所にボール２１０を有する。盤形アセンブリ２１と回転盤２０は凸柱１１上に結合され、更に、ねじ２２により螺紋孔に鎖入されて回転盤２０を固定する。底座１０は定位素子１２を設置し、定位素子１２の横側に制限フレーム１２１を設置すると共に、上端に支持板３０が設置される。支持板３０両側は定位軸３１を延設し、底座１０の定位素子１２と支持板３０の定位軸３１が係固する。支持板３０の横側は連接棒３２を延伸して、懸固軸３３の通孔３３０と可動方式で結合される。懸固軸３３のもう一端は係槽３４を有し、係槽３４は底座１０の支承軸１３に設置された棒１４に係固される。底座１０頂面一辺に少なくとも一つの推抵素子１５を設置し、推抵素子１５は一端がフック１６で、フック１６は底座１０の凹孔１７に設置された係軸１８に緊密に設置される。支持板３０面は網孔３５を設置し、支持板３０底面は少なくとも一つのファン槽孔を設置してファン４０を固定し、支持板３０の定位軸３１を調整することにより、定位素子１２の凹槽１２０内で抵止する。
【０００７】
図３〜図６で示されるように、本考案のノート型パソコンの支承フレーム１は、定位軸３１を定位棒１２の凹槽１２０内の異なる位置で抵止させることにより、懸固軸３３と底座１０の挟角を調整し、且つ、ファン４０により空気をノート型パソコン５０の底部に吹入して、空気が対流して、熱量を運ぶ。ファン４０の電源はUSBコネクタ５１によりノート型パソコン５０に提供され、且つ、個人の好みにより、回転盤２０はパッドシート１９により代替でき、使用者の脚部に置放するのに便利で、任意の角度への旋転はできないが、ノート型パソコン５０の底座が任意の傾斜角度で支承され、且つ、推抵素子１５が可動方式で開き、尺寸が小さいノート型パソコン５０を係止するか、或いは、底座１０に圧合して隠蔵され、尺寸が大きいノート型パソコン５０を放置し、ファン４０は位置調整後、異なる形態のノート型パソコン５０底部に精確に送風して、好ましい散熱効果を達成する。
【図面の簡単な説明】
【０００８】
【図１】本考案の立体分解図である。
【図２】本考案の立体組み合わせ図である。
【図３】本考案の側視図である。
【図４】本考案の好ましい実施例を示す図である。
【図５】本考案のもう一つの好ましい実施例を示す図である。
【図６】本考案のもう一つの実施例を示す図である。
【符号の説明】
【０００９】
1ノート型パソコンの支承フレーム
10底座
11凸柱
12定位棒
120凹槽
121制限フレーム
13支承軸
14棒
15推抵素子
16フック
17凹孔
18係軸
19パッドシート
20回転軸
21盤形アセンブリ
210ボール
22ねじ
30支持板
31定位軸
32連接棒
33懸固軸
330通孔
34係槽
35網孔
40ファン
50ノート型パソコン
51 USBコネクタ
【図１】
0003135000.tif 000003
【図２】
0003135000.tif 000004
【図３】
0003135000.tif 000005
【図４】
0003135000.tif 000006
【図５】
0003135000.tif 000007
【図６】
0003135000.tif 000008